(57)【要約】【課題】意匠性を維持しつつ車両用部品を確実に固定することができる固定具を提供する。【解決手段】固定具１１は、フロアマット１４に形成された孔２３に挿入される筒状の挿入部２４を有し、孔２３に挿入部２４が挿入された状態でフロアマット１４に取り付けられる取付部材１５と、挿入部２４に挿入されて取付部材１５を係止する係止位置と取付部材１５を係止しない非係止位置との間で変位可能な係止部２２を有し、且つ車体側に固定される固定部材１３と、挿入部２４における固定部材１３側とは反対側の開口を覆うように挿入部２４に挿入される蓋体１６とを備える。蓋体１６には、蓋体１６を挿入部２４に挿入する際に係止部２２に係合することによって係止部２２を非係止位置から係止位置に変位させる変位部３５が設けられている。【選択図】図２
2020157913.tif 000002
【特許請求の範囲】
【請求項１】
車両用部品に形成された孔に挿入される筒状の挿入部を有し、前記孔に前記挿入部が挿入された状態で前記車両用部品に取り付けられる取付部材と、
前記挿入部に挿入されて前記取付部材を係止する係止位置と前記取付部材を係止しない非係止位置との間で変位可能な係止部を有し、且つ車体側に固定される固定部材と、
前記挿入部における前記固定部材側とは反対側の開口を覆うように前記挿入部に挿入される蓋体と、
を備え、
前記蓋体には、前記蓋体を前記挿入部に挿入する際に前記係止部に係合することによって前記係止部を前記非係止位置から前記係止位置に変位させる変位部が設けられていることを特徴とする固定具。
【請求項２】
前記係止部は、前記挿入部の軸線方向に延びる軸線を中心に前記係止位置と前記非係止位置との間で回動可能に構成されていることを特徴とする請求項１に記載の固定具。
【請求項３】
前記蓋体を前記挿入部に挿入する際に前記蓋体をガイドするガイド機構を備えていることを特徴とする請求項１または請求項２に記載の固定具。
【請求項４】
前記蓋体を前記挿入部に挿入した際に、前記挿入部から前記蓋体が抜けないようにするための抜け止め機構を備えていることを特徴とする請求項１〜請求項３のうちいずれか一項に記載の固定具。
【請求項５】
前記蓋体及び前記取付部材には、前記蓋体を前記挿入部に挿入する際に前記蓋体と前記取付部材との位置を合わせるための目印がそれぞれ設けられていることを特徴とする請求項１〜請求項４のうちいずれか一項に記載の固定具。
【請求項６】
前記取付部材には、前記挿入部に挿入された前記蓋体を引き抜く際に前記蓋体をつまみ易くするための凹部が設けられていることを特徴とする請求項１〜請求項５のうちいずれか一項に記載の固定具。
【発明の詳細な説明】
【技術分野】
【０００１】
本発明は、例えばフロアマットなどの車両用部品を固定する固定具に関する。
【背景技術】
【０００２】
従来、この種の固定具として例えば特許文献１に示す敷物用固定具を用いたものが知られている。このような敷物用固定具は、本体と、本体に対してクリック回転可能に組み付けられた回転蓋とを備えている。本体は平面視楕円形状をなし、敷物に穿設された楕円形の取りつけ孔に取りつけられた補強リングに挿嵌されている。本体の下部にはねじ部が突設され、当該ねじ部は床面にねじ込まれている。
【０００３】
回転蓋は、平面視平行四辺形状をなし、中心部に円形の貫通孔が形成されている。貫通孔内には、一対の板ばねが所定の間隔をおいて弦のように形成されている。一対の板ばね間には、本体の上部に突設された角柱が挿嵌されている。そして、回転蓋の長手方向と本体の長手方向とを一致させた状態から回転蓋を９０°クリック回転させることで、回転蓋が敷物の抜け止めになり、敷物が床面に固定されるようになっている。
【先行技術文献】
【特許文献】
【０００４】
【特許文献１】特開昭６２−７５７７５号公報
【発明の概要】
【発明が解決しようとする課題】
【０００５】
ところで、上述のような敷物用固定具では、回転蓋が露出している上に、回転蓋の長手方向と本体の長手方向とを一致させた状態から回転蓋を９０°クリック回転されないおそれもある。このため、意匠性が低下するだけでなく、回転蓋が敷物の抜け止めとして機能しない状態、すなわち敷物が床面に固定されない状態で使用されるおそれがあるという問題がある。
【０００６】
本発明は、このような従来技術に存在する問題点に着目してなされた。その目的は、意匠性を維持しつつ車両用部品を確実に固定することができる固定具を提供することにある。
【課題を解決するための手段】
【０００７】
以下、上記課題を解決するための手段及びその作用効果について記載する。
上記課題を解決する固定具は、車両用部品に形成された孔に挿入される筒状の挿入部を有し、前記孔に前記挿入部が挿入された状態で前記車両用部品に取り付けられる取付部材と、前記挿入部に挿入されて前記取付部材を係止する係止位置と前記取付部材を係止しない非係止位置との間で変位可能な係止部を有し、且つ車体側に固定される固定部材と、前記挿入部における前記固定部材側とは反対側の開口を覆うように前記挿入部に挿入される蓋体と、を備え、前記蓋体には、前記蓋体を前記挿入部に挿入する際に前記係止部に係合することによって前記係止部を前記非係止位置から前記係止位置に変位させる変位部が設けられていることを要旨とする。
【０００８】
この構成によれば、蓋体を挿入部に挿入するだけで固定部材の係止部を隠しながら非係止位置から係止位置に変位させることができる。すなわち、固定部材の係止部を蓋体によって隠すことができ、且つ車両用部品に取り付けられた取付部材を固定部材の係止部によって確実に係止することができる。したがって、意匠性を維持しつつ車両用部品を確実に固定することができる。
【発明の効果】
【０００９】
本発明によれば、意匠性を維持しつつ車両用部品を確実に固定することができる。
【図面の簡単な説明】
【００１０】
【図１】一実施形態の固定具の使用状態を示す斜視図。
【図２】図１の断面図。
【図３】取付部材の挿入部内の係止部が係止位置にあるときの状態を示す斜視図。
【図４】取付部材の挿入部内の係止部が非係止位置にあるときの状態を示す斜視図。
【図５】蓋体の裏側を示す斜視図。
【図６】（ａ）〜（ｃ）は、係止部が蓋体の変位部と係合することによって非係止位置から係止位置まで回動されるときの動作を示す側面図。
【図７】変更例の固定具において、取付部材の挿入部内の係止部が係止位置にあるときの状態を示す斜視図。
【図８】図７の変更例の固定具における蓋体の裏側を示す斜視図。
【図９】図７の変更例の固定具において、蓋体の鉤部が取付部材の係止孔に係止されたときの状態を示す要部拡大断面模式図。
【図１０】別の変更例の固定具において、取付部材の挿入部内の係止部が係止位置にあるときの状態を示す斜視図。
【図１１】図１０の変更例の固定具に使用される蓋体の裏側を示す斜視図。
【発明を実施するための形態】
【００１１】
以下、固定具の一実施形態を図面に従って説明する。
図１及び図２に示すように、固定具１１は、車体側の床面に固定されたカーペット１２に固定される固定部材１３と、車両用部品の一例としてのフロアマット１４に取り付けられる取付部材１５と、蓋体１６とを備え、フロアマット１４をカーペット１２に固定している。
【００１２】
固定部材１３は、カーペット１２の上側に配置された円形の上板１７と、カーペット１２の下側に配置された円形の下板１８と、カーペット１２に形成された貫通孔１９に挿入されて上板１７と下板１８とを連結する円柱状の連結部２０と、上板１７上に一体形成された台座部２１と、台座部２１上に回動可能に支持された係止部２２とを備えている。
【００１３】
そして、固定部材１３は、上板１７と下板１８とでカーペット１２を挟持した状態で連結部２０により貫通孔１９を通して上板１７と下板１８との中央部同士を連結することによって、カーペット１２に固定されている。この場合、連結部２０は、上板１７及び下板１８のうちのいずれか一方に一体形成されていてもよいし、上板１７及び下板１８とは別体であってもよい。
【００１４】
台座部２１は、上板１７の上面の中央部に配置され、上部が丸みを帯びた略矩形板状をなしている。係止部２２は、上部が丸みを帯びた略直方体状をなしており、長手方向が水平方向となるように配置されている。すなわち、係止部２２は、鉛直方向に延びる中心軸線を回動中心として回動可能に台座部２１上に支持されている。
【００１５】
取付部材１５は、フロアマット１４に形成された孔２３に挿入される円筒状の挿入部２４と挿入部２４の上端に一体形成されてフロアマット１４の上面上に配置される円環板状の外側フランジ部２５とを有した本体２６と、挿入部２４に下端側から嵌合させて外側フランジ部２５とでフロアマット１４を挟持する円環状の嵌合板２７とを備えている。すなわち、取付部材１５は、挿入部２４がフロアマット１４の孔２３に挿入された状態で外側フランジ部２５と嵌合板２７とによりフロアマット１４を挟持することによって、フロアマット１４に取り付けられている。
【００１６】
図２及び図３に示すように、取付部材１５の挿入部２４内の下端部には、水平方向で対向する一対の内側フランジ部２８が形成されている。一対の内側フランジ部２８は、挿入部２４の下端開口部２９よりも若干上側に位置している。挿入部２４内における一対の内側フランジ部２８同士の間には、水平方向に延びる略矩形状をなすフランジ開口部３０が形成されている。
【００１７】
挿入部２４内にはフランジ開口部３０から固定部材１３の台座部２１及び係止部２２が挿入されている。この場合、台座部２１の上面及び係止部２２の下面は、一対の内側フランジ部２８の上面と面一になっている。係止部２２の上面は、挿入部２４の上端開口部３１よりも若干下側に位置している。係止部２２の長手方向の長さ及び短手方向の長さは、フランジ開口部３０の長手方向の長さ及び短手方向の長さよりもそれぞれ短くなっている。係止部２２の長手方向の長さは、フランジ開口部３０の短手方向の長さよりも長くなっている。
【００１８】
したがって、係止部２２は、その長手方向がフランジ開口部３０の長手方向と一致する非係止位置（図４に示す位置）にあるときにフランジ開口部３０を通り抜けることができ、その長手方向がフランジ開口部３０の短手方向と一致する係止位置（図３に示す位置）にあるときにフランジ開口部３０を通り抜けることができなくなる。すなわち、係止部２２は、係止位置にあるときに長手方向の両端部が取付部材１５の一対の内側フランジ部２８を係止し、非係止位置にあるときに長手方向の両端部が取付部材１５の一対の内側フランジ部２８を係止しない。
【００１９】
係止部２２は、挿入部２４内に挿入された状態で、挿入部２４の軸線方向（鉛直方向）に延びる軸線を中心に係止位置と非係止位置との間で回動（変位）可能になっている。係止部２２は、９０°回動する度に係止位置と非係止位置とに交互に位置するようになっている。
【００２０】
挿入部２４の上端における内周縁には、中心に向かうほど徐々に高さが低くなる湾曲面３２が形成されている。挿入部２４を構成する周壁には、挿入部２４の軸線方向（鉛直方向）に延びる一対の切欠溝３３が形成されている。一対の切欠溝３３は、湾曲面３２から内側フランジ部２８の上面の高さまで挿入部２４を構成する周壁を貫通するように形成されており、互いに挿入部２４の中心軸線を挟んで対向するように配置されている。一対の切欠溝３３は、水平方向においてはフランジ開口部３０の長手方向に延びている。
【００２１】
図２及び図５に示すように、蓋体１６は、挿入部２４における固定部材１３側とは反対側の開口である上端開口部３１を覆う円形の蓋板３４と、蓋板３４の裏面に一体となるように立設されて上端開口部３１から挿入部２４内に挿入される一対の変位部３５とを備えている。蓋板３４の径は、上端開口部３１の径と略同じになるように設定されている。一対の変位部３５間の間隔は、係止部２２の短手方向の長さよりも若干広くなるように設定されている。
【００２２】
図４及び図５に示すように、一対の変位部３５は、フランジ開口部３０の短手方向に延びる互いに同一のブロック形状をなしている。一対の変位部３５は、長手方向において互いに逆方向を向くように配置されている。各変位部３５は、長手方向の略中央部から一方側の端部にかけて形成された傾斜面３６を有し、他方側の端部に各切欠溝３３に挿入可能な直方体状の凸部３７を有している。傾斜面３６は、凸部３７側とは反対側の端部に向かうほど高さが低くなるように傾斜している。
【００２３】
そして、蓋体１６を挿入部２４に挿入する際には、一対の変位部３５の凸部３７が一対の切欠溝３３内に沿ってそれぞれ摺動することで、蓋体１６がガイドされる。したがって、本実施形態では、一対の切欠溝３３及び一対の凸部３７により、蓋体１６を挿入部２４に挿入する際に蓋体１６をガイドするガイド機構が構成されている。
【００２４】
図１及び図４に示すように、取付部材１５の外側フランジ部２５の上面の内周縁部には、目印の一例としての三角形状をなす一対の第１突起３８がフランジ開口部３０の短手方向において中心部を挟んで対向するように設けられている。蓋板３４における変位部３５側とは反対側の面である表面の外周縁部には、目印の一例としての三角形状をなす一対の第２突起３９が中心部を挟んで対向するように設けられている。
【００２５】
この場合、図１、図４及び図５に示すように、蓋体１６を上端開口部３１から挿入部２４に挿入する際に、蓋体１６における一対の第２突起３９の周方向の位置を取付部材１５における一対の第１突起３８にそれぞれ合わせることで、蓋体１６における一対の凸部３７の周方向の位置が取付部材１５における一対の切欠溝３３にそれぞれ合わせられる。すなわち、蓋体１６及び取付部材１５には、蓋体１６を挿入部２４に挿入する際に蓋体１６と取付部材１５との周方向の位置を合わせるための一対の第２突起３９及び一対の第１突起３８がそれぞれ設けられている。
【００２６】
そして、蓋体１６における一対の凸部３７の周方向の位置を取付部材１５における一対の切欠溝３３にそれぞれ合わせた状態では、蓋体１６の一対の傾斜面３６が非係止位置にある係止部２２の上面における長手方向の両端部とそれぞれ挿入部２４の軸線方向（鉛直方向）で対向するようになっている。
【００２７】
なお、取付部材１５の外側フランジ部２５の上面の内周縁部における一対の第１突起３８と周方向で隣り合う位置には、挿入部２４に挿入された状態の蓋体１６を挿入部２４から引き抜く際に蓋体１６を指でつまみ易くするための一対の凹部４０がそれぞれ設けられている。
【００２８】
次に、固定具１１によってフロアマット１４をカーペット１２に固定するときの作用について説明する。
フロアマット１４をカーペット１２に固定する場合には、まず、カーペット１２の貫通孔１９に連結部２０が挿入されるようにして上板１７と下板１８とでカーペット１２を挟持することによって、固定部材１３をカーペット１２に固定する。続いて、挿入部２４をフロアマット１４の孔２３に挿入した状態で挿入部２４に嵌合板２７を嵌合させて外側フランジ部２５と嵌合板２７とによりフロアマット１４を挟持することによって、取付部材１５をフロアマット１４に取り付ける。
【００２９】
続いて、固定部材１３の係止部２２を、非係止位置に位置させた状態で取付部材１５のフランジ開口部３０から挿入部２４内に挿入する。続いて、蓋体１６の裏面を挿入部２４の上端開口部３１に対向させた状態で、蓋体１６における一対の第２突起３９の周方向の位置を取付部材１５における一対の第１突起３８にそれぞれ合わせる。すると、蓋体１６における一対の凸部３７の周方向の位置が取付部材１５における一対の切欠溝３３にそれぞれ合わせられる。
【００３０】
これにより、蓋体１６の一対の傾斜面３６が非係止位置にある係止部２２の上面における長手方向の両端部とそれぞれ対向する。続いて、蓋体１６の一対の凸部３７が取付部材１５の一対の切欠溝３３に挿入されるように、蓋体１６の一対の変位部３５を挿入部２４内に挿入する。すると、図６（ａ）に示すように、蓋体１６の一対の変位部３５の傾斜面３６が非係止位置にある係止部２２の上面における長手方向の両端部にそれぞれ当接する。
【００３１】
引き続き、蓋体１６の一対の変位部３５を挿入部２４内に押し込むと、一対の変位部３５の傾斜面３６上を係止部２２の上面における長手方向の両端部が摺動することで、図６（ｂ）に示すように、非係止位置にある係止部２２が係止位置に向かって回動する。つまり、蓋体１６の一対の変位部３５の傾斜面３６は、蓋体１６を下方に向かって挿入部２４内に押し込むときの押圧力を、係止部２２を非係止位置から係止位置に向かって回動させるための回動力に変換して係止部２２に伝達する。
【００３２】
このとき、蓋体１６は、係止部２２からの反力を受けて周方向に回動しようとするが、周方向において一対の凸部３７が取付部材１５の一対の切欠溝３３の側壁面に当接するため、周方向への回動が抑制される。つまり、蓋体１６の一対の変位部３５は、一対の凸部３７及び一対の切欠溝３３によってガイドされながら挿入部２４内に挿入される。
【００３３】
引き続き、蓋体１６の一対の変位部３５を挿入部２４内に完全に押し込むと、一対の変位部３５の傾斜面３６上を係止部２２の上面における長手方向の両端部がさらに摺動することで、図６（ｃ）に示すように、非係止位置にある係止部２２が係止位置に回動した状態になる。すなわち、蓋体１６の一対の変位部３５は、挿入部２４に挿入する際に係止部２２に係合することによって係止部２２を非係止位置から係止位置に変位させる。
【００３４】
これにより、取付部材１５の内側フランジ部２８が固定部材１３の係止部２２によって係止され、固定具１１によってフロアマット１４がカーペット１２に固定される。このとき、一対の凸部３７の先端（下端）は内側フランジ部２８の上面の高さと同じ高さの一対の切欠溝３３の下壁面に当接し、且つ挿入部２４の上端開口部３１は蓋板３４によって覆われる。
【００３５】
また、フロアマット１４をカーペット１２から取り外す場合には、まず、取付部材１５の一対の凹部４０に指を入れて蓋体１６をつまんで挿入部２４から引き抜く。続いて、係止位置にある係止部２２を指でつまんで非係止位置に回動させる。その後、係止部２２をフランジ開口部３０に通しながらフロアマット１４をカーペット１２から持ち上げることで、フロアマット１４をカーペット１２から取り外すことができる。
【００３６】
以上詳述した実施形態によれば、次のような効果が発揮される。
（１）固定具１１において、蓋体１６には、蓋体１６を挿入部２４に挿入する際に係止部２２に係合することによって係止部２２を非係止位置から係止位置に変位させる一対の変位部３５が設けられている。この構成によれば、蓋体１６を挿入部２４に挿入するだけで固定部材１３の係止部２２を隠しながら非係止位置から係止位置に変位させることができる。すなわち、固定部材１３の係止部２２を蓋体１６によって隠すことができ、且つフロアマット１４に取り付けられた取付部材１５を固定部材１３の係止部２２によって確実に係止することができる。このため、意匠性を維持しつつフロアマット１４を確実にカーペット１２に固定することができる。したがって、固定部材１３の係止部２２がフロアマット１４に取り付けられた取付部材１５を係止しない状態でフロアマット１４が使用されることを抑制できる。加えて、蓋体１６によって挿入部２４に異物が入ることを抑制できる。因みに、挿入部２４に異物が入ると、係止部２２の回動が妨げられるおそれがある。
【００３７】
（２）固定具１１において、係止部２２は、挿入部２４の軸線方向に延びる軸線を中心に係止位置と非係止位置との間で回動可能に構成されている。この構成によれば、係止部２２を係止位置と非係止位置との間で直線的に移動可能に構成する場合に比べて、固定具を小さくすることができる。
【００３８】
（３）固定具１１は、蓋体１６を挿入部２４に挿入する際に蓋体１６をガイドする一対の凸部３７及び一対の切欠溝３３を備えている。この構成によれば、蓋体１６を挿入部２４に挿入する際に、一対の凸部３７を一対の切欠溝３３に係合させることで、蓋体１６をガイドすることができる。
【００３９】
（４）固定具１１において、蓋体１６及び取付部材１５には、蓋体１６を挿入部２４に挿入する際に蓋体１６と取付部材１５との周方向の位置を合わせるための一対の第２突起３９及び一対の第１突起３８がそれぞれ設けられている。この構成によれば、蓋体１６を挿入部２４に挿入する際に一対の第２突起３９の周方向の位置を一対の第１突起３８に合わせることで、蓋体１６を挿入部２４に対して正しい位置で容易且つ迅速に挿入することができる。
【００４０】
（５）固定具１１において、取付部材１５には、挿入部２４に挿入された蓋体１６を引き抜く際に蓋体１６をつまみ易くするための一対の凹部４０が設けられている。この構成によれば、一対の凹部４０によって蓋体１６がつまみ易くなるので、挿入部２４に挿入された状態の蓋体１６を容易に引き抜くことができる。
【００４１】
（変更例）
なお、上記実施形態は次のように変更してもよい。
・図７及び図８に示すように、固定具１１は、蓋体１６を挿入部２４に挿入した際に、挿入部２４から蓋体１６が抜けないようにするための抜け止め機構として、挿入部２４に係止孔５０を形成するとともに蓋体１６に係止孔５０に係止可能な鉤部５１を形成するようにしてもよい。すなわち、蓋体１６の一対の変位部３５のうちの一方における凸部３７側とは反対側の端部を省略して当該省略した領域に鉤部５１を設け、且つ蓋体１６を挿入部２４に挿入した際に挿入部２４における鉤部５１と対応する位置に係止孔５０を貫通するように形成してもよい。このようにすれば、蓋体１６を挿入部２４に挿入した際に、図９に示すように、挿入部２４の係止孔５０に蓋体１６の鉤部５１が係止されるため、挿入部２４から蓋体１６が抜けることを抑制できる。なお、抜け止め機構として、蓋体１６に係止孔５０を形成するとともに挿入部２４に係止孔５０に係止可能な鉤部５１を形成するようにしてもよい。
【００４２】
・図１０に示すように、取付部材１５における一対の切欠溝３３の水平方向の延びる方向が挿入部２４の径方向になるようにしてもよい。この場合、図１１に示すように、一対の切欠溝３３の水平方向の延びる方向に合わせて蓋体１６における一対の凸部３７の水平方向の延びる方向を変更する必要がある。
【００４３】
・一対の凹部４０のうち少なくとも一方を省略してもよい。
・一対の第２突起３９及び一対の第１突起３８は、省略してもよい。
・目印は、一対の第２突起３９及び一対の第１突起３８の代わりに、塗料やステッカーなどによって構成してもよい。この場合、目印の形状は、三角形状に限らず、円形や四角形など任意の形状でよい。
【００４４】
・ガイド機構を構成する一対の凸部３７及び一対の切欠溝３３は省略してもよい。
・ガイド機構を構成する一対の凸部３７のうちの一方及び一対の切欠溝３３のうちの一方を省略するようにしてもよい。
【００４５】
・ガイド機構として、蓋体１６に一対の切欠溝３３を形成し、挿入部２４に一対の凸部３７を形成するようにしてもよい。
・固定具１１において、係止部２２は、係止位置と非係止位置との間で直線的に移動可能に構成してもよい。
【００４６】
・一対の変位部３５のうちいずれか一方を省略してもよい。
・固定具１１によって固定される車両用部品は、フロアマット１４に限らず、ドアトリムやラゲージボートなどの車両用内装部品やキャリアーなどの車両用外装部品であってもよい。
【符号の説明】
【００４７】
１１…固定具、１３…固定部材、１４…車両用部品の一例としてのフロアマット、１５…取付部材、１６…蓋体、２２…係止部、２３…孔、２４…挿入部、３３…ガイド機構を構成する切欠溝、３５…変位部、３７…ガイド機構を構成する凸部、３８…目印の一例としての第１突起、３９…目印の一例としての第２突起、４０…凹部、５０…抜け止め機構を構成する係止孔、５１…抜け止め機構を構成する鉤部。
【図１】
2020157913.tif 000003
【図２】
2020157913.tif 000004
【図３】
2020157913.tif 000005
【図４】
2020157913.tif 000006
【図５】
2020157913.tif 000007
【図６】
2020157913.tif 000008
【図７】
2020157913.tif 000009
【図８】
2020157913.tif 000010
【図９】
2020157913.tif 000011
【図１０】
2020157913.tif 000012
【図１１】
2020157913.tif 000013